(57)【要約】      （修正有）【課題】帯電防止機能に優れ、しかも着心地が良い新たな帯電防止安全ベストを提供する。【解決手段】左右の肩を含む前後身頃の上部側１ａが炭素繊維又は金属繊維を織込んだ導電性を備えた布地で形成され、その他の胴部を含む前後身頃が導電性のメッシュ地で形成されていると共に、前後身頃に帯電防止機能を備えた反射板３，４が取付けられ、かつ、開閉部のファスナ２は、合成樹脂のような非金属材で形成されていることを特徴とする。【選択図】図１
0003148551.tif 000002
【実用新案登録請求の範囲】
【請求項１】
左右の肩を含む前後身頃の上部側が炭素繊維又は金属繊維を織込んだ導電性を備えた布地で形成され、その他の胴部を含む前後身頃が導電性のメッシュ地で形成されていると共に、前後身頃に帯電防止機能を備えた反射板が取付けられ、かつ、開閉部のファスナは、合成樹脂のような非金属材で形成されていることを特徴とする帯電防止安全ベスト。
【請求項２】
メッシュ地は、炭素繊維又は金属繊維を織成又は編成により取込んだもの、又は、帯電防止剤が塗布されたものである請求項１の帯電防止安全ベスト。
【請求項３】
帯電防止剤は、カチオン性又はアニオン性の帯電防止剤である請求項２の帯電防止安全ベスト。
【請求項４】
前身頃又は後身頃の下半側には、導電性を備えた布地で形成されたポケットが設けられている請求項１〜３のいずれかの帯電防止安全ベスト。
【請求項５】
ポケットには、帯電防止機能を備えた反射板が取付けられている請求項４の帯電防止安全ベスト。
【請求項６】
前後身頃の下部側には、合成樹脂又は布などの非金属材で形成された胴回り調整用ベルトが設けられている請求項１〜５のいずれかの帯電防止安全ベスト。
【考案の詳細な説明】
【技術分野】
【０００１】
本考案は、給油所や化学工場，原子力施設などでの作業、或は、電子機器の組立作業などで作業者が着用する帯電防止機能を有する安全ベストに関する。
【背景技術】
【０００２】
従来、給油所や化学工場などにおいて作業者が着用している作業着に静電気が発生しそれが原因となって大きな引火事故が発生するという問題があった。また、原子力施設などでは作業着に発生した静電気により放射能で汚染された塵や埃が付着し、作業着が放射能で汚染されてしまうという問題があった。更に、電子部品の組立て作業などにおいて電子回路基板やメモリなどの回路が作業着に発生した静電気により短絡してしまうなどの問題があった。
【０００３】
このような問題を解決するため、作業着に帯電防止機能を付与したものが提案されている。例えば、特許文献１には、静電気の影響を受けることを嫌う電子機器関係の作業者が着用する帯電帽子作業衣が提案されている。また、特許文献２には、通気性，耐水性などに優れた作業用保護衣類においてその構成材料として帯電防止剤で処理された繊維シートを使用したものが提案されている。
【０００４】
しかしながら、特許文献１で提案されている帯電帽子作業衣は、作業上衣の腕部や背部に導電糸により部分的に導電表示部を形成しているだけで、作業衣全体に帯電防止が施されていないため帯電防止機能が不十分であった。また、特許文献２で提案されている作業用保護衣類は、その構成素材が繊維を織り込んだ布地ではなく合成樹脂製極細繊維不織布であるため、作業者によっては着心地が悪いという問題があった。
【特許文献１】実公平５−１９２８４号公報
【特許文献２】特開２００２−１６６１７３号公報
【考案の開示】
【考案が解決しようとする課題】
【０００５】
本考案は、上記従来の帯電防止作業衣における問題点に鑑み、帯電防止機能に優れ、しかも着心地が良い新たな帯電防止安全ベストを提供することをその課題とするものである。
【課題を解決するための手段】
【０００６】
上記課題を解決することを目的としてなされた本考案の構成は、左右の肩を含む前後身頃の上部側が炭素繊維又は金属繊維を織込んだ導電性を備えた布地で形成され、その他の胴部を含む前後身頃が導電性のメッシュ地で形成されていると共に、前後身頃に帯電防止機能を備えた反射板が取付けられ、かつ、開閉部のファスナは、合成樹脂のような非金属材で形成されていることを特徴とするものである。
【０００７】
本考案は、上記構成において、メッシュ地は、炭素繊維又は金属繊維を織成又は編成により取込んだもの、又は、帯電防止剤が塗布されたものであってもよい。また、帯電防止剤としては、カチオン性又はアニオン性の帯電防止剤を使用することができる。更に、前身頃又は後身頃の下半側には、導電性を備えた布地で形成されたポケットが設けられている構成にしてもよい。その場合、ポケットには、帯電防止機能を備えた反射板が取付けられた構成にしてもよい。
【考案の効果】
【０００８】
本考案ベストは、ベスト全体が帯電防止機能を有しているので、帯電防止機能がないワイシャツや半袖シャツの上に着用するだけで、着用する前に衣服にたまっていた電気を放電することができるという効果を奏することができる。
また、本考案ベストは、胴部がメッシュ地で形成されているため全体として軽く、従来の作業着と一緒に着用しても違和感がなく、更に、一緒に着用した場合、従来の作業着に帯電防止機能がなくても全体として帯電防止機能を発揮することができる。
【０００９】
次に、本考案ベストは、反射板が取付けられているので、夜間、ガソリンスタンドで給油作業をする場合でも安全で、しかも静電気が原因となる引火や爆発事故も発生することはない。また、本考案ベストは、メッシュ地の部分があるが、帯電防止機能により、このメッシュ地のところに塵や粉塵が付着することがないという効果もある。
【考案を実施するための最良の形態】
【００１０】
本考案の実施の形態例について図により説明する。図１は本考案ベストの一例の正面図、図２は図１に示したベストの背面図である。
【実施例】
【００１１】
図１，図２において、１は、本考案の一例の帯電防止安全ベスト、1aは、このベスト１の左右の肩を含む前後身頃の上部側、1bは、その他の安全ベスト１の胴部を含む胴部側である。1cは、前身頃の胴部側1bに設けたポケット、1dはこのポケット1cの開閉蓋である。なお、ポケット1cは、後身頃の胴部側1bに設けてもよい。
【００１２】
帯電防止安全ベスト１は、その前身頃の胴部側1bの中央部に上下方向にファスナ２が取付けられていて、左右に開くことができるようになっている。なお、ファスナ２を取付けない構成にしてもよい。2aはこのファスナ２の開閉チャックである。
【００１３】
３は、前身頃の胴部側1bの左右にそれぞれ上下方向に取付けられている柔軟な帯状の反射板で、視認性を高めるためにここでは黄色をベースにした反射板３の略中央に銀色の帯状反射テープ3aを貼着又は縫着してある。４は、前身頃の胴部側1bに設けたポケット1cに左右方向に取付けられている前記反射板３と同等の反射板で、同様に黄色をベースにした反射板４の略中央に銀色の帯状反射テープ4aを貼着又は縫着してある。なお、反射板３，４の胴部側1b、ポケット1cへの取付けは、貼着により又は周囲を縫着して取付けてもよい。
【００１４】
５は、後身頃の胴部側1bの上方の左右方向に取付けた反射板、６は、同じく、後身頃の胴部側1bの下方の左右方向に取付けた反射板であり、いずれの反射板５，６も、上記反射板３，４と同様のものである。また、5aは、黄色をベースにした反射板５の略中央部に貼着した銀色の帯状反射テープ、6aは、黄色をベースにした反射板６の略中央部に貼着した銀色の帯状反射テープである。なお、反射板５，６の取付け、反射板５，６に対する帯状反射テープ5a，6aの取付けも、反射板３，４、帯状反射テープ3a，4aと同様である。
【００１５】
各反射板３〜６とそれらに貼着する各帯状反射テープ3a〜6aの色の組合せは、黄色と銀色の組合せに限られず、例えば、銀色をベースに帯状反射テープを黄金色にしたり、緑色又は白色をベースに帯状反射テープを赤色又は黄色若しくは青色にしたりするなど、様々な色の組合せが可能である。また、帯状反射テープを貼着しないで反射板３〜６そのものを黄金色，銀白色，黄色，白色等の１色にするだけでもよい。更に、各反射板３〜６は、すべて同じ色、色の組合せにしないで、例えば、前身頃側の反射板は、黄色をベースにした銀色の帯状反射テープ、後身頃側の反射板は、銀色の１色のようにすることもできる。要するに、視認性が高く、作業している者を容易に認識できるような色とその組合せであればよい。
【００１６】
７は、安全ベスト１を着た後、その下側を着用者の腰回りに合わせて締め付けるための胴回り調整用ベルトで、ここでは前後身頃の胴部側1bの下部の左，右側に設けてある。なお、胴回り調整用ベルト７を設けない場合もある。7aはこのベルト７の面ファスナの雄側、7bは後身頃の胴部側1bの下部の左，右側に設けた面ファスナの雌側で、面ファスナの雄側7aと雌側7bとが、互いに係着する位置により、胴回りを調整することができる。なお、面ファスナではなく、図示しないが、バックルにより胴回りを調整する構造にしてもよい。
【００１７】
次に、帯電防止安全ベスト１を形成する各部の構成部材について説明する。
まず、前後身頃の上部側1aは、炭素繊維又は金属繊維を織込んだ導電性を備えた布地で形成され、前後身頃の胴部側1bは、導電性のメッシュ地で形成されている。また、ポケット1cは、炭素繊維又は金属繊維を織込んだ導電性を備えた布地で形成されている。
【００１８】
前後身頃の上部側1a、及び、ポケット1cを形成する導電性を備えた布地は、従来の帯電防止機能がない通常の作業着を製造するときに用いられる布地と同様の布地をベースにしているが、本実施例では、そのような布地を繊維を織成又は編成して製造するとき、適宜間隔で導電性を有する炭素繊維又は金属繊維若しくはこれらの両繊維を織り込んで製造した布地を使用している。なお、導電性を備えた布地としては、これ以外に、通常の作業着を製造するときに用いられる布地に帯電防止剤を塗布したものを用いることもできる。
【００１９】
また、前後身頃の胴部側1bを形成するメッシュ地は、ナイロン，ビニロン，ポリエステル，アクリル，ポリウレタン，アラミド等の合成繊維やアセテートなどの半合成繊維、レーヨン等の再生繊維、綿や絹等の天然繊維などを用いて網状に織り込んだものであり、ここでは導電性を付与するため炭素繊維又は金属繊維若しくはこれらの両繊維を一緒に織成又は編成により取込んでいる。
【００２０】
メッシュ地に導電性を付与するためには、炭素繊維又は金属繊維を織成又は編成する以外に、上述した合成繊維などを織り込んで形成したメッシュ地に帯電防止剤を塗布してもよい。帯電防止剤としては、カチオン性又はアニオン性のものを使用することができる。なお、帯電防止剤としては種々のものを使用できるが、例えば、低分子量タイプとして４級アンモニウム塩、アミン塩等のカチオン系、アルキルスルホン酸塩、アルキルベンゼンスルホン酸塩、アルキルリン酸エステル塩等のアニオン系、ポリオキシエチレンアルキルエーテル、ポリオキシエチレンアルキルフェニルエーテル、ポリオキシエチレンアルキルアミン、ポリオキシエチレンアルキルアミン脂肪酸エステル等のノニオン系、ベタイン型、アラニン型等の両性型のものを例示することができる。また高分子量タイプとして、ポリエチレングリコール、ポリオキシエチレンジアミン、ポリエーテル／ポリエステル／ポリアミドブロック共重合体等のノニオン系、第４級アンモニウム塩型スチレン重合体、第４級アンモニウム塩型アミノアルキルアクリレート重合体、第４級アンモニウム塩型ジアリルアミン重合体等のカチオン系、スルホン酸塩型スチレン重合体等のアニオン系のものなどを例示することができる。これらの中ではカチオン系帯電防止剤及びアニオン系帯電防止剤を使用することが好ましい。
【００２１】
次に、ファスナ２及びその開閉チャック2aは、帯電防止のため非金属製のもの、ここではナイロンで形成されているが、ナイロン以外のポリエステル，ポリスチレン，ポリプロピレン、ＡＢＳ樹脂などの合成樹脂で形成してもよい。なお、ファスナ２と開閉チャック2aの代わりに、面ファスナにより、又は、合成樹脂材や貝殻などのボタンで前身頃の胴部左右を開閉する構成にしてもよい。また、胴回り調整用ベルト７は、非金属製のもの、例えば布製又は合成樹脂製の帯体で形成されている。なお、このベルト７を適宜長さに締め付け，固定するためにバックルを使用する場合は、そのバックルは非金属製の合成樹脂材製のものを用いる。更に、ポケット1cと開閉蓋1dはここでは面ファスナで係着されるが、ボタンで係止める場合、そのボタンも非金属の合成樹脂材や貝殻などを使用する。
【００２２】
また、反射板３〜６は、リフレクタとも呼ばれ、いわゆるプリズン・タイプとビーズ・タイプのものがあるが、ここでは製造段階でビーズ状のものを混練させて柔軟性のあるプラスチック板に形成したものを使用している。更に、帯状反射テープ3a〜6aも同様の素材構成のものを使用している。また、反射板３〜６の帯電防止機能は、ここでは反射板３〜６の裏面側に上述した導電性を有する炭素繊維又は金属繊維若しくはこれらの両繊維を織り込んだ薄い繊維シートを積層して付与しているが、帯電防止剤を塗布して帯電防止機能を付与することもできる。
【００２３】
本考案の一例の帯電防止安全ベストの構成は上述した通りであるが、本考案の帯電防止安全ベストは、これに限られず、帯電防止の観点から上記に挙げた素材以外のものを使用することもできる。
【産業上の利用可能性】
【００２４】
本考案の帯電防止安全ベストは、ベストを構成する布地，メッシュ地の全体、及び、取付けた反射板の全てに帯電防止機能を付与してあるので、従来の帯電防止作業衣に比べ、十分な帯電防止が可能で、しかも、ファスナやベルトもすべて非金属のものを使用しているので、金属に起因するスパークが生じるおそれもない。
【００２５】
また、本考案の帯電防止安全ベストは、メッシュ地もあり、全体として軽量であるため、従来の作業着の上に着用しても違和感がなく、また、反射板も取付けられているので、例えば、夜間の給油作業時などにおいても安全性を確保することができる。
更に、原子力施設や化学工場での作業者や電子機器関係の作業者が着用した場合も、優れた帯電防止機能により、放射能に汚染された塵や埃がメッシュ地に付着することもなく、静電気による引火事故，電子回路の短絡などの事故を未然に防ぐことができる。
【図面の簡単な説明】
【００２６】
【図１】本考案ベストの一例の正面図。
【図２】図１に示したベストの背面図。
【符号の説明】
【００２７】
１        本考案の一例の帯電防止安全ベスト
1a        前後身頃の上部側
1b        前後身頃の胴部側
1c        ポケット
２        ファスナ
2a        開閉チャック
３〜６    反射板
3a〜6a    帯状反射テープ
７        胴回り調整用ベルト
【図１】
0003148551.tif 000003
【図２】
0003148551.tif 000004